(57)【要約】【課題】画像再生や音楽再生に必要な切替え操作を自動で行う映像再生装置、映像再生方法を提供する。【解決手段】映像再生装置Ａの移動を検出する移動検出手段２〜４と、挿入されたメディアの種別を判別する判別手段５，６と、装置Ａの移動を検知してからメディアを挿入するまでの時間が所定時間内で画像コンテンツが含まれる場合、メディアを画像コンテンツメディアと判定し、装置Ａの移動を検知しない又は装置Ａの移動を検知してからメディアを挿入するまでの時間が所定時間を超え、音楽コンテンツが含まれる場合、メディアを音楽コンテンツメディアと判定するコンテンツ判定手段４と、画像コンテンツメディアと判定された場合、画像コンテンツを再生して表示する投影表示手段９，１３と、音楽コンテンツメディアと判定された場合、音楽コンテンツを再生する音楽再生手段１２，１５とを備える。【選択図】図１
2011044985.tif 000002
【特許請求の範囲】
【請求項１】
画像コンテンツあるいは音楽コンテンツを再生する映像再生装置であって、
ユーザにより前記映像再生装置が移動されたか否かを、前記映像再生装置の加速度の変化として検出する移動検出手段と、
ユーザにより挿入された記録メディアの種別を判別する判別手段と、
前記移動検出手段により前記映像再生装置の移動が検知されてから前記記録メディアが挿入されるまでの時間が予め定められる所定時間内であり、前記記録メディアに画像コンテンツが含まれる場合、前記記録メディアは画像コンテンツが記録されている画像コンテンツ記録メディアと判定し、前記移動検出手段により前記映像再生装置の移動が検知されず、又は、前記移動検出手段により前記映像再生装置の移動が検知されてから前記記録メディアが挿入されるまでの時間が前記所定時間を超え、かつ、前記記録メディアに音楽コンテンツが含まれる場合、前記記録メディアは音楽コンテンツが記録されている音楽コンテンツ記録メディアと判定し、前記移動検出手段により前記映像再生装置の移動が検知されず、又は、前記移動検出手段により前記映像再生装置の移動が検知されてから前記記録メディアが挿入されるまでの時間が前記所定時間を超え、かつ、前記記録メディアに音楽コンテンツが含まれない場合、コンテンツがないと判定するコンテンツ判定手段と、
前記コンテンツ判定手段により前記記録メディアが前記画像コンテンツ記録メディアと判定された場合、投射光源の点灯、投射レンズの露出動作、冷却ファンの起動をそれぞれ行って、前記画像コンテンツ記録メディアから読み出した画像コンテンツを投影表示する投影表示手段と、
前記コンテンツ判定手段により前記記録メディアが前記音楽コンテンツ記録メディアと判定された場合、前記音楽コンテンツ記録メディアから読み出した前記音楽コンテンツを再生する音楽再生手段と、
を備えたことを特徴とする映像再生装置。
【請求項２】
ユーザにより映像再生装置が移動されたか否かを、前記映像再生装置の加速度の変化として検出するステップと、
前記映像再生装置に挿入された記録メディアの種別を判別するステップと、
前記映像再生装置の移動が検知されてから前記記録メディアが挿入されるまでの時間が予め定められる所定時間内であり、前記記録メディアに画像コンテンツが含まれる場合、前記記録メディアは画像コンテンツが記録されている画像コンテンツ記録メディアと判定し、前記映像再生装置の移動が検知されず、又は、前記映像再生装置の移動が検知されてから前記記録メディアが挿入されるまでの時間が前記所定時間を超え、かつ、前記記録メディアに音楽コンテンツが含まれる場合、前記記録メディアは音楽コンテンツが記録されている音楽コンテンツ記録メディアと判定し、前記映像再生装置の移動が検知されず、又は、前記映像再生装置の移動が検知されてから前記記録メディアが挿入されるまでの時間が前記所定時間を超え、かつ、前記記録メディアに音楽コンテンツが含まれない場合、コンテンツがないと判定するステップと、
前記記録メディアが前記画像コンテンツ記録メディアと判定された場合、投射光源の点灯、投射レンズの露出動作、冷却ファンの起動をそれぞれ行って、前記画像コンテンツ記録メディアから読み出した画像コンテンツを投影表示するステップと、
前記記録メディアが前記音楽コンテンツ記録メディアと判定された場合、前記音楽コンテンツ記録メディアから読み出した前記音楽コンテンツを再生するステップと、
を備えたことを特徴とする映像再生方法。
【発明の詳細な説明】
【技術分野】
【０００１】
本発明は、映像や音楽の再生に必要な切替え操作を自動で行う映像再生装置、映像再生方法に関するものである。
【背景技術】
【０００２】
映像を壁面や大型スクリーン等に拡大投影して表示するプロジェクタには、例えば、メモリカードスロットに挿入してあるメモリカードに画像ファイルが記録されていることを検出する機能を備え、主電源をオンにすると、メモリカードスロットを入力端子として最優先で選択するプロジェクタがある（特許文献１）。
【先行技術文献】
【特許文献】
【０００３】
【特許文献１】特開２００７−２１２６１９号公報
【発明の概要】
【発明が解決しようとする課題】
【０００４】
前記したプロジェクタは、主電源をオンにすると、前回どの入力端子を選択していたか否かにかかわらず、メモリカードスロットに挿入してあるメモリカード内の画像ファイルを読み出して、これを最優先で投影する。
【０００５】
しかし、このメモリカード内に画像ファイルと音楽ファイルとが共に記録されている場合には、このメモリカード内から音楽ファイルだけを読み出して再生したいときにも、画像ファイルを投影するための投影用ランプが点灯してしまう。
【０００６】
一方、画像を壁面や大型スクリーン等に拡大投影して表示する投影機能と音楽再生機能とを備える複合型プロジェクタがある。この複合型プロジェクタによって、ＤＶＤ（Digital Versatile Disk）等の光ディスクに記録されている画像コンテンツを再生して楽しむに留まらず、ＣＤ(Compact Disc)等に収録されている音楽コンテンツを再生して楽しむことができる。
【０００７】
しかしながら、こうした複合型プロジェクタを用いて、画像の投影や音楽再生を行う場合は、ディスク挿入時に、ディスク内のコンテンツが画像コンテンツであるか音楽コンテンツであるかを判別して動作制御をするが、画像コンテンツと音楽コンテンツとの双方が記録されたディスクである場合に、ユーザが手動で切替える必要があり、操作性が悪い点で問題がある。
【０００８】
そこで、本発明は、上記した課題を解決するために創案されたものであり、画像コンテンツや音楽コンテンツが記録されている光ディスクやメモリカード等の記録メディアを本装置に挿入するときに、ユーザが本装置を投影に最適な場所へ移動したことを予め検知しておき、記録メディアの挿入に応じて、投射ランプの点灯、投射レンズの露出調整、冷却ファンの始動等の投影に必要な切替えを自動で行う映像再生装置、映像再生方法を提供することを目的とする。
【課題を解決するための手段】
【０００９】
上記目的を達成するために、本発明は、次の（１）、（２）の構成を有する映像再生装置、映像再生方法を提供する。
【００１０】
（１）画像コンテンツあるいは音楽コンテンツを再生する映像再生装置であって、ユーザにより映像再生装置が移動されたか否かを、映像再生装置の加速度の変化として検出する移動検出手段（２−４）と、ユーザにより挿入された記録メディアの種別を判別する判別手段（５，６，２１，２２）と、移動検出手段により映像再生装置の移動が検知されてから記録メディアが挿入されるまでの時間が予め定められる所定時間内であり、記録メディアに画像コンテンツが含まれる場合、記録メディアは画像コンテンツが記録されている画像コンテンツ記録メディアと判定し、移動検出手段により映像再生装置の移動が検知されず、又は、移動検出手段により映像再生装置の移動が検知されてから記録メディアが挿入されるまでの時間が所定時間を超え、かつ、記録メディアに音楽コンテンツが含まれる場合、記録メディアは音楽コンテンツが記録されている音楽コンテンツ記録メディアと判定し、移動検出手段により映像再生装置の移動が検知されず、又は、移動検出手段により映像再生装置の移動が検知されてから記録メディアが挿入されるまでの時間が所定時間を超え、かつ、記録メディアに音楽コンテンツが含まれない場合、コンテンツがないと判定するコンテンツ判定手段（８）と、コンテンツ判定手段により記録メディアが画像コンテンツ記録メディアと判定された場合、投射光源の点灯、投射レンズの露出動作、冷却ファンの起動をそれぞれ行って、画像コンテンツ記録メディアから読み出した画像コンテンツを投影表示する投影表示手段（９−１１，１３，１４）と、コンテンツ判定手段により記録メディアが音楽コンテンツ記録メディアと判定された場合、音楽コンテンツ記録メディアから読み出した音楽コンテンツを再生する音楽再生手段（１２，１５）と、を備えたことを特徴とする映像再生装置（Ａ，Ｂ）。
【００１１】
（２）ユーザにより映像再生装置が移動されたか否かを、映像再生装置の加速度の変化として検出するステップと、映像再生装置に挿入された記録メディアの種別を判別するステップと、映像再生装置の移動が検知されてから記録メディアが挿入されるまでの時間が予め定められる所定時間内であり、記録メディアに画像コンテンツが含まれる場合、記録メディアは画像コンテンツが記録されている画像コンテンツ記録メディアと判定し、映像再生装置の移動が検知されず、又は、映像再生装置の移動が検知されてから記録メディアが挿入されるまでの時間が所定時間を超え、かつ、記録メディアに音楽コンテンツが含まれる場合、記録メディアは音楽コンテンツが記録されている音楽コンテンツ記録メディアと判定し、映像再生装置の移動が検知されず、又は、映像再生装置の移動が検知されてから記録メディアが挿入されるまでの時間が所定時間を超え、かつ、記録メディアに音楽コンテンツが含まれない場合、コンテンツがないと判定するステップと、記録メディアが画像コンテンツ記録メディアと判定された場合、投射光源の点灯、投射レンズの露出動作、冷却ファンの起動をそれぞれ行って、画像コンテンツ記録メディアから読み出した画像コンテンツを投影表示するステップと、記録メディアが音楽コンテンツ記録メディアと判定された場合、音楽コンテンツ記録メディアから読み出した音楽コンテンツを再生するステップと、を備えたことを特徴とする映像再生方法。
【発明の効果】
【００１２】
本発明によれば、画像コンテンツや音楽コンテンツが記録されている光ディスクやメモリカード等の記録メディアを本装置に挿入するときに、ユーザが本装置を投影に最適な場所へ移動したことを予め検知しておき、記録メディアの挿入に応じて、投射ランプの点灯、投射レンズの露出調整、冷却ファンの始動等の投影に必要な切替えを自動で行う映像再生装置、映像再生方法を提供することができる。
【図面の簡単な説明】
【００１３】
【図１】本発明の実施例１に係る全体構成を示すブロック図である。
【図２】本発明の実施例１の動作を示すフローチャートである。
【図３】本発明の実施例１、２の起動動作を示すフローチャートである。
【図４】投射レンズ非露出状態のプロジェクタを示す図である。
【図５】投射レンズ露出状態のプロジェクタを示す図である。
【図６】本発明の実施例２を示すブロック図である。
【図７】本発明の実施例２の動作を示すフローチャートである。
【発明を実施するための形態】
【００１４】
以下、本発明の実施の形態を、添付図面を用いて、(実施例１)、(実施例２)の順に、説明する。
【００１５】
本発明に用いられる記録メディアの一例として、(実施例１)は光ディスクを用い、(実施例２)ではメモリカードを用いている。これら光ディスク、メモリカードには画像コンテンツや音楽コンテンツが記録されている。
【００１６】
ここで、画像コンテンツとは、映画のように、映像又は画像とこれに付随する音声とを含むコンテンツを指す。また、音楽コンテンツとは、音楽用ＣＤのように、音声だけのコンテンツを指す。
【００１７】
(実施例１)
本発明の実施例１に係るプロジェクタAは、図１に示すように、電源部１、３次元加速度センサ部２、角速度センサ部３、筐体移動検知部４、光ディスクドライブ部５、ディスク識別部６、タイマ部７、動作命令部８、画像再生部９、光源ドライバ部１０、冷却ファン部１１、音声再生部１２、表示デバイス部１３、投射光源部１４、スピーカ部１５を備えている。
【００１８】
電源部１は、ＡＣ（又はＤＣ）電源の通電（給電）状態を検知した通電検知信号を筐体移動検知部４へ出力する。
【００１９】
３次元加速度センサ部２は、ユーザがプロジェクタＡを移動することにより生じる３次元方向の加速度を感知した加速度信号を角速度センサ部３へ出力する。
【００２０】
角速度センサ部３は、３次元加速度センサ部２から供給される加速度信号の角速度変化を感知した角速度感知信号を筐体移動検知部４へ出力する。
【００２１】
図示しない主電源がオフの時、３次元加速度センサ部２、角速度センサ部３、筐体移動検知部４への電力供給は、図示しないバッテリでバックアップされる。
【００２２】
筐体移動検知部４は、電源部１から供給される通電検知信号を検知してプロジェクタＡが通電状態であること、及び、角速度センサ部３から供給される角速度感知信号の信号レベルが所定値を超えることを検知して、ユーザがプロジェクタＡを移動したことを判別すると、動作命令部８へ移動検知信号を出力する。
【００２３】
光ディスクドライブ部５は、挿入された光ディスクを回転して読み出した読出信号（画像ファイル又は音楽ファイル）をディスク識別部６へ出力する。
【００２４】
ここで、光ディスクは、画像コンテンツが記録されているビデオ用ＤＶＤやビデオ用ＣＤ（以下「画像コンテンツ光ディスク」と記す）、及び、音楽コンテンツだけが記録されている音楽用ＤＶＤや音楽用ＣＤ（以下「音楽コンテンツ光ディスク」と記す）を含むものである。
【００２５】
また、光ディスクドライブ部５は、画像コンテンツ光ディスクから画像コンテンツ再生信号を出力し、また、音楽コンテンツ光ディスクから音楽コンテンツ再生信号を出力する。
【００２６】
ディスク識別部６は、光ディスクドライブ部５から供給される読出信号に基づいて、光ディスクが画像コンテンツ光ディスクであるか、音楽コンテンツ光ディスクであるかの識別を行って得たディスク識別信号を、動作命令部８へ出力する。
【００２７】
タイマ部７は、筐体移動検知部４がプロジェクタＡの移動を判別してから、光ディスクドライブ部５に光ディスクが挿入されるまでの時間を計測した時間信号を、動作命令部８へ出力する。
【００２８】
動作命令部８は、筐体移動検知部４から供給される移動検知信号とディスク識別部６から供給されるディスク識別信号とタイマ部７から供給される時間信号とに基づいて、動作命令信号を出力する。
【００２９】
具体的には、筐体移動検知部４においてプロジェクタＡの移動が検知され、ディスク識別部６において画像コンテンツ光ディスクと識別され、タイマ部７において計測された時間が画像コンテンツ光ディスクの挿入直前にプロジェクタＡの移動がなされたことを示す予め定められた所定時間内であった場合、動作命令部８は、画像再生部９、光源ドライバ部１０、冷却ファン部１１に対して、それぞれ動作命令信号を出力する。
【００３０】
一方、筐体移動検知部４においてプロジェクタＡの移動が検知されず、ディスク識別部６において音楽コンテンツ光ディスクと識別された場合、あるいは、筐体移動検知部４においてプロジェクタＡの移動が検知され、ディスク識別部６において音楽コンテンツ光ディスクと識別され、タイマ部７において計測された時間が光ディスクの挿入直前にプロジェクタＡの移動がなされたことを示す所定時間内でない場合には、動作命令部８は、画像再生部９、光源ドライバ部１０、冷却ファン部１１に対して、動作命令信号を出力せず、音声再生部１２に対してのみ、動作命令信号を出力する。
【００３１】
画像再生部９は、動作命令部８から供給される動作命令信号に基づいて、光ディスクドライブ部５で画像コンテンツ光ディスクを再生して得た画像コンテンツ再生信号を、表示デバイス部１３へ出力する。
【００３２】
光源ドライバ部１０は、動作命令部８から供給される動作命令信号に基づいて、図示しない投影用ランプを点灯するための駆動信号を、投射光源部１４へ出力し、投影用ランプを点灯状態にする。
【００３３】
冷却ファン部１１は、動作命令部８から供給される動作命令信号に基づいて、図示しない冷却ファンを回転する。
【００３４】
音声再生部１２は、動作命令部８から供給される動作命令信号に基づいて、光ディスクドライブ部５で音楽コンテンツ光ディスクを再生して得た音楽コンテンツ再生信号を、スピーカ部１５へ出力する。
【００３５】
画像再生部９から表示デバイス部１３へ供給される画像コンテンツ再生信号は、点灯状態の投影用ランプによって、壁面や大型スクリーン等に拡大投影されて、これにより画像コンテンツを表示できる。この画像コンテンツ再生信号に付随する音声再生信号は、音声再生部１２で増幅され、スピーカ部１５から放音される。また、音声再生部１２へ供給される音楽コンテンツ再生信号は、音声再生部１２で増幅され、スピーカ部１５から放音される。
【００３６】
本発明の映像再生装置（プロジェクタＡ）は、３次元加速度センサ部２、角速度センサ部３、筐体移動検知部４により、ユーザによるプロジェクタＡの移動を加速度の変化として検出する移動検出手段が構成され、光ディスクドライブ部５及びディスク識別部６により、ユーザにより挿入された記録メディア（光ディスク）の種別を判別する判別手段が構成され、動作命令部８により、光ディスクが画像コンテンツ光ディスクであるか、音楽コンテンツ光ディスクであるかを判定するコンテンツ判定手段が構成され、画像再生部９、光源ドライバ部１０、冷却ファン部１１、表示デバイス部１３、投射光源部１４により、投射光源の点灯、投射レンズ系の露出動作、冷却ファンの起動をそれぞれ行い、画像コンテンツ光ディスクから読み出された画像コンテンツを投影表示する投影表示手段が構成され、音声再生部１２、スピーカ部１５により、音楽コンテンツ光ディスクから読み出された音楽コンテンツを再生する音楽再生手段が構成されるものである。
【００３７】
次に、前述した構成のプロジェクタＡの動作につき、図２を用いて説明する。
【００３８】
まず、光ディスクドライブ部５に光ディスクが挿入される前に、電源部１はプロジェクタＡが通電状態であるか否かを検知する（ステップ１０１）。
【００３９】
電源部１により、プロジェクタＡが通電状態であると検知された場合(ステップ１０１「ＹＥＳ」)、３次元加速度センサ部２及び角速度センサ部３における加速度変化、角速度変化の計測記録に基づいて、筐体移動検知部４は、プロジェクタＡの移動があったか否かを判別する(ステップ１０２)。
【００４０】
筐体移動検知部４により、プロジェクタＡの移動があったと判別された場合(ステップ１０２「ＹＥＳ」)、動作命令部８は、タイマ部７で計測した時間が予め定められた所定時間内であるか否かを判別する(ステップ１０３)。例えば、所定時間とは５分間とすることができる。
【００４１】
動作命令部８により、所定時間内であったと判別された場合(ステップ１０３「ＹＥＳ」)、動作命令部８は、光ディスクが挿入される直前にプロジェクタＡの移動があったと判断する（ステップ１０４）。
【００４２】
また、前述したステップ１０１で、電源部１によりプロジェクタＡが通電状態であると検知されない場合（ステップ１０１「ＮＯ」）も、動作命令部８は光ディスクが挿入される直前にプロジェクタＡの移動があったと判断する(ステップ１０４)。
【００４３】
次に、光ディスクドライブ部５は、挿入されている光ディスクからの読み込みを行い（ステップ１０５）、光ディスクから読み出した読出信号（画像ファイル又は音楽ファイル）に基づいて、ディスク識別部６は、光ディスクが画像コンテンツ光ディスクであるか否かの識別を行う(ステップ１０６)。
【００４４】
ディスク識別部６により、画像コンテンツ光ディスクと識別された場合(ステップ１０６「ＹＥＳ」)、動作命令部８は、プロジェクタＡの起動（投影準備）のための動作命令信号を、画像再生部９、光源ドライバ部１０、冷却ファン部１１に対して、それぞれ出力する。
【００４５】
画像再生部９は、動作命令部８から供給される動作命令信号に基づいて、光ディスクドライブ部５で画像コンテンツ光ディスクを再生して得た画像コンテンツ再生信号を、表示デバイス部１３へ出力する。
【００４６】
表示デバイス部１３は、供給される画像コンテンツ再生信号に応じた画像コンテンツを、点灯状態の投影用ランプによって、壁面や大型スクリーン等に拡大投影する(ステップ１０７)。
【００４７】
一方、ディスク識別部６により、画像コンテンツ光ディスクでないと識別された場合(ステップ１０６「ＮＯ」)、ディスク識別部６は、音楽コンテンツ光ディスクであるか否かの識別を行う（ステップ１０６”）。
【００４８】
ディスク識別部６により、音楽コンテンツ光ディスクと識別された場合(ステップ１０６”「ＹＥＳ」)、動作命令部８は、音声を再生するための動作命令信号を音声再生部１２へ出力する。
【００４９】
音楽再生部１２は、動作命令部８から供給される動作命令信号に基づいて、光ディスクドライブ部５で音楽コンテンツ光ディスクを再生して得た音楽コンテンツ再生信号を増幅して、スピーカ部１５へ出力し、スピーカ部１５は放音する（ステップ１０７’）。
【００５０】
ディスク識別部６により、音楽コンテンツ光ディスクと識別されない場合(ステップ１０６”「ＮＯ」)、動作命令部８は光ディスクに音楽コンテンツが記録されていないものとして、待機状態として終了する。
【００５１】
一方、前述したステップ１０２で筐体移動検知部４により、プロジェクタＡの移動がないと判別される場合(ステップ１０２「ＮＯ」)、又は、前述したステップ１０３でタイマ部７により計測された時間が予め定められた所定時間を超える場合(ステップ１０３「ＮＯ」)、動作命令部８は、光ディスクが挿入される直前にプロジェクタＡの移動がなかったと判断する（ステップ１０４’）。
【００５２】
そして、光ディスクドライブ部５は、光ディスクからの読み込みを行い（ステップ１０５’）、光ディスクから読み出した読出信号（画像ファイル又は音楽ファイル）に基づいて、ディスク識別部６は、光ディスクが音楽コンテンツ光ディスクであるか否かの識別を行う（ステップ１０６’）。
【００５３】
ディスク識別部６により、音楽コンテンツ光ディスクであったと識別された場合（ステップ１０６’「ＹＥＳ」）、前述したステップ１０７’に進み、音楽再生部１２は音楽コンテンツ光ディスクを再生する。
【００５４】
一方、ディスク識別部６により、音楽コンテンツ光ディスクであったと識別されない場合(ステップ１０６’「ＮＯ」)、動作命令部８は光ディスクに音楽コンテンツがないものとして、待機状態として終了する。
【００５５】
上述したステップ１０７でプロジェクタＡが画像コンテンツを再生する動作について、図３を用いて説明する。
【００５６】
最初に、動作命令部８は、図示しないレンズカバーがプロジェクタＡの後述する図４，図５に示す投射レンズ１６ａにかけられているか否かを確認する（ステップ２０１）。
【００５７】
動作命令部８はレンズカバーが投射レンズ１６ａにかけられていると判断した場合（ステップ２０１「ＹＥＳ」）、動作命令部８は、レンズカバーを開放し、投射レンズ１６ａを露出する（ステップ２０２）。
【００５８】
一方、動作命令部８はレンズカバーが投射レンズ１６ａにかけられていると判断しない場合（ステップ２０１「ＮＯ」）、動作命令部８は、図４、図５に示すように、プロジェクタ本体部１６を筐体部１７に対して可動させることにより、図４に示した状態から図５に示した状態へと変化させて、投射レンズ１６ａの露出を行う（ステップ２０２’）。
【００５９】
前述したステップ２０２，２０２’の後、光源ドライバ部１０は、投影用ランプを点灯するための駆動信号を投射光源部１４へ出力し、投射光源部１４が点灯する（ステップ２０３）
また、動作命令部８より出力される動作命令信号に基づいて、冷却ファン部１１が作動する（ステップ２０４）。続いて、動作命令部８は、事前に設定しておいた投射光源部１４の明るさが十分な程度に達する時間が経過したと判断すると、駆動信号を図示しない室内照明機器に発信して消灯する（ステップ２０５）。
【００６０】
さらに、画像再生部９は画像コンテンツ再生信号を表示デバイス部１３へ出力し、表示デバイス部１３は画像コンテンツを再生し、画像を表示する（ステップ２０６）。さらに、動作命令部８は、画像コンテンツの中に音声コンテンツを含むか否かを識別（ステップ２０７）する。
【００６１】
ステップ２０７で動作命令部８により、画像コンテンツの中に音楽コンテンツを含むと識別した場合（ステップ２０７「ＹＥＳ」）、音楽再生部１２は音楽コンテンツ再生信号を増幅し、増幅した音楽コンテンツ再生信号をスピーカ部１５へ出力して、スピーカ部１５は放音する（ステップ２０８）。
【００６２】
こうして、前述した構成のプロジェクタＡは、画像コンテンツや音楽コンテンツが記録されている光ディスクを本装置に挿入するときに、ユーザが本装置を投影に最適な場所へ移動したことを予め検知しておき、光ディスクの挿入に応じて、投射ランプの点灯、投射レンズの露出調整、冷却ファンの始動等の投影に必要な切替えを自動で行うことができる。
【００６３】
(実施例２)
本発明の実施例２に係るプロジェクタＢは、図６に示すように、前述したプロジェクタＡ（図１）における光ディスクドライブ部５及びディスク識別部６を除去し、ファイル記録メディアスロット部２１、内容識別部２２、拡張子データベース２３を付加した構成である。前述したものと同一構成部分には同一符号を付して説明を省略する。
【００６４】
プロジェクタＢは、電源部１、３次元加速度センサ部２、角速度センサ部３、筐体移動検知部４、タイマ部７、動作命令部８、画像再生部９、光源ドライバ部１０、冷却ファン部１１、音声再生部１２、表示デバイス部１３、投射光源部１４、スピーカ部１５、ファイル記録メディアスロット部２１、内部識別部２２、拡張子データベース２３とを備えている。
【００６５】
電源部１、３次元加速度センサ部２、角速度センサ部３、筐体移動検知部4の動作は実施例1と同様である。
【００６６】
ファイル記録メディアスロット部２１は、ここに挿入されたメモリカードから読み出した読出信号（画像ファイル又は音楽ファイル等）を内部識別部２２へ出力する。
【００６７】
ここで、メモリカードは、画像コンテンツが記録されているメモリカード（以下「画像コンテンツメモリカード」と記す）、及び、音楽コンテンツだけが記録されているメモリカード（以下「音楽コンテンツメモリカード」と記す）を含むものである。
【００６８】
ファイル記録メディアスロット部２１は、画像コンテンツメモリカードから画像コンテンツ再生信号を出力し、また、音楽コンテンツメモリカードから音楽コンテンツ再生信号を出力する。また、ファイル記録メディアスロット部２１は、メモリカードから拡張子に関するデータを読み出して出力する。
【００６９】
内部識別部２２は、ファイル記録メディアスロット部２１から供給されるメモリカードから読み出した拡張子に関するデータに基づいて、ファイル記録メディアスロット部２１に装着されているメモリカードが画像コンテンツメモリカードであるか、音楽コンテンツメモリカードであるかの識別を行う。すなわち、内部識別部２２は、メモリカードから読み出した拡張子に関するデータと、拡張子データベース部２３に記録されている記録メディアの拡張子に関するデータとを照合し、画像コンテンツメモリカードであるか、音楽コンテンツメモリカードであるかの情報を示すメモリカード識別信号を、動作命令部８へ出力する。
【００７０】
タイマ部７は、筐体移動検知部４がプロジェクタＢの移動を判別してから、ファイル記録メディアスロット部２１にメモリカードが挿入されるまでの時間を計測した時間信号を、動作命令部８へ出力する。
【００７１】
動作命令部８は、筐体移動検知部４から供給される移動検知信号と内部識別部２２から供給されるメモリカード識別信号とタイマ部７から供給される時間信号とに基づいて、動作命令信号を出力する。
【００７２】
具体的には、筐体移動検知部４においてプロジェクタＢの移動が検知され、内部識別部２２において画像コンテンツメモリカードと識別され、タイマ部７において計測された時間が画像コンテンツメモリカードの挿入直前にプロジェクタＢの移動がなされたことを示す予め定められた所定時間内であった場合、動作命令部８は、画像再生部９、光源ドライバ部１０、冷却ファン部１１に対して、それぞれ動作命令信号を出力する。
【００７３】
一方、筐体移動検知部４においてプロジェクタＡの移動が検知されず、内部識別部２２において音楽コンテンツメモリカードと識別された場合、あるいは、筐体移動検知部４においてプロジェクタＡの移動が検知され、内部識別部２２において音楽コンテンツメモリカードと識別され、タイマ部７において計測された時間が音楽コンテンツメモリカードの挿入直前にプロジェクタＢの移動がなされたことを示す所定時間内でない場合には、動作命令部８は、画像再生部９、光源ドライバ部１０、冷却ファン部１１に対して、動作命令信号を出力せず、音声再生部１２に対してのみ、動作命令信号を出力する。
【００７４】
画像再生部９は、動作命令部８から供給される動作命令信号に基づいて、ファイル記録メディアスロット部２１で画像コンテンツメモリカードを再生して得た画像コンテンツ再生信号を、表示デバイス部１３へ出力する。
【００７５】
画像再生部９、光源ドライバ部１０、冷却ファン部１１、音声再生部１２、表示デバイス部１３、投射光源部１４、画像再生部１５の動作は実施例１と同様であるので説明を省略する。
【００７６】
本発明の映像再生装置（プロジェクタＢ）は、３次元加速度センサ部２、角速度センサ部３、筐体移動検知部４により、ユーザによるプロジェクタＢの移動を加速度の変化として検出する移動検出手段が構成され、ファイル記録メディアスロット部２１及び内部識別部２２により、ユーザにより挿入された記録メディア（メモリカード）の種別を判別する判別手段が構成され、動作命令部８により、メモリカードが画像コンテンツメモリカード又は音楽コンテンツメモリカードであるかを判定するコンテンツ判定手段が構成され、画像再生部９、光源ドライバ部１０、冷却ファン部１１、表示デバイス部１３、投射光源部１４により、投射光源の点灯、投射レンズ系の露出動作、冷却ファンの起動をそれぞれ行い、画像コンテンツメモリカードから読み出された画像コンテンツを投影表示する投影表示手段が構成され、音声再生部１２、スピーカ部１５により、音楽コンテンツメモリカードから読み出された音楽コンテンツを再生する音楽再生手段が構成されるものである。
【００７７】
次に、前述した構成のプロジェクタBの動作につき、図７を用いて説明する。前述したものと同一のステップには同一の番号を付している。
【００７８】
まず、ファイル記録メディアスロット部２１にメモリカードが挿入される前に、電源部１はプロジェクタBが通電状態であるか否かを検知する(ステップ１０１)。
【００７９】
電源部１により、プロジェクタＢが通電状態であると検知された場合(ステップ１０１「ＹＥＳ」)、３次元加速度センサ部２及び角速度センサ部３における加速度変化、角速度変化の計測記録に基づいて、筐体移動検知部４は、プロジェクタBの移動があったか否かを判別する(ステップ１０２)。
【００８０】
筐体移動検知部４により、プロジェクタBの移動があったと判別された場合(ステップ１０２「ＹＥＳ」)、動作命令部８は、タイマ部７で計測した時間が予め定められる所定時間内であるか否かを判別する(ステップ１０３)。動作命令部８により、所定時間内であったと判別された場合(ステップ１０３「ＹＥＳ」)、動作命令部８は、メモリカードが挿入される直前にプロジェクタBの移動があったと判断する(ステップ１０４)。また、前述したステップ１０１で、電源部１によりプロジェクタＢが通電状態であると検知されない場合（ステップ１０１「ＮＯ」）も、動作命令部８はメモリカードが挿入される直前にプロジェクタＢの移動があったと判断する(ステップ１０４)。例えば、所定時間とは５分間とすることができる。
【００８１】
次に、ファイル記録メディアスロット部２１は、挿入されているメモリカードからの読み込みを行い（ステップ３０１）、メモリカードから読み出した拡張子に関するデータに基づいて、内部識別部２２は、画像コンテンツメモリカードであるか否かの識別を行う(ステップ３０２)。
【００８２】
内部識別部２２により、画像コンテンツメモリカードと識別された場合(ステップ３０２「ＹＥＳ」)、動作命令部８は、プロジェクタＢの起動（投影準備）のための動作命令信号を、画像再生部９、光源ドライバ部１０、冷却ファン部１１に対して、それぞれ出力する。
【００８３】
画像再生部９は、動作命令部８から供給される動作命令信号に基づいて、ファイル記録メディアスロット部２１で画像コンテンツメモリカードを再生して得た画像コンテンツ再生信号を、表示デバイス部１３へ出力する。
【００８４】
表示デバイス部１３は、供給される画像コンテンツ再生信号に応じた画像コンテンツを、点灯状態の投影用ランプによって、壁面や大型スクリーン等に拡大投影する(ステップ１０７)。
【００８５】
一方、内部識別部２２により、画像コンテンツメモリカードでないと識別された場合(ステップ３０２「ＮＯ」)、内部識別部２２は、メモリカードから読み出した拡張子に関するデータに基づいて、音楽コンテンツメモリカードであるか否かの識別を行う（ステップ３０２”）。内部識別部２２により、音楽コンテンツメモリカードと識別された場合(ステップ３０２”「ＹＥＳ」)、動作命令部８は、音声を再生するための動作命令信号を、音声再生部１２に対して出力する。
【００８６】
音楽再生部１２は、動作命令部８から供給される動作命令信号に基づいて、ファイル記録メディアスロット部２１で音楽コンテンツメモリカードを再生して得た音楽コンテンツ再生信号を増幅して、スピーカ部１５へ出力し、スピーカ部１５は放音する（ステップ１０７’）。
【００８７】
内部識別部２２により、音楽コンテンツメモリカードと識別されない場合(ステップ３０２”「ＮＯ」)、動作命令部８はメモリカードに音楽コンテンツが記録されていないものとして待機状態として終了する。
【００８８】
一方、前述したステップ１０２で筐体移動検知部４により、プロジェクタＢの移動がないと判別される場合(ステップ１０２「ＮＯ」)、又は、前述したステップ１０３でタイマ部７で計測した時間が予め定められた所定時間を超える場合(ステップ１０３「ＮＯ」)、動作命令部８は、メモリカードが挿入される直前にプロジェクタＢの移動がなかったと判断する（ステップ１０４’）。
【００８９】
そして、ファイル記録メディアスロット部２１は、メモリカードからの読み込みを行い（ステップ３０１’）、メモリカードから読み出した拡張子に関するデータに基づいて、内部識別部２２は、メモリカードが音楽コンテンツメモリカードであるか否かの識別を行う（ステップ３０２’）。
【００９０】
内部識別部２２により、音楽コンテンツメモリカードであったと識別された場合（ステップ３０２’「ＹＥＳ」）、前述したステップ１０７’に進み、音楽再生部１２は音楽コンテンツメモリカードを再生する。一方、内部識別部２２により、音楽コンテンツ光ディスクであったと識別されない場合(ステップ１０６’「ＮＯ」)、動作命令部８は光ディスクに音楽コンテンツがないものとして待機状態として終了する。
【００９１】
上述したステップ１０７でプロジェクタＢが画像コンテンツを再生する動作は、実施例１の図３で説明した内容と同様であり、記録メディアを光ディスクからメモリカードに置き換えればよい。
【００９２】
前述した構成のプロジェクタＢは、画像コンテンツや音楽コンテンツが記録されているメモリカードを本装置に挿入するときに、ユーザが本装置を投影に最適な場所へ移動したことを予め検知しておき、メモリカードの挿入に応じて、投射ランプの点灯、投射レンズの露出調整、冷却ファンの始動等の投影に必要な切替えを自動で行うことができる。
【００９３】
前述したメモリカードは記録メディアの一例として説明したが、このメモリカードの代りに、ＵＳＢメモリ等の着脱自在のメモリを用いることができる。
【００９４】
上述した記録メディアとして、画像コンテンツ及び音楽コンテンツ以外のコンテンツ、例えばコンピュータデータが記録されている記録メディアが挿入された場合には、これを再生することなく排出するようにしても良い。
【符号の説明】
【００９５】
２  ３次元加速度センサ部
３  角速度センサ部
４  筐体移動検知部
５  光ディスクドライブ部
６  ディスク識別部
７  タイマ部
８  動作命令部
９  画像再生部
１０  光源ドライバ部
１１  冷却ファン部
１２  音声再生部
１３  表示デバイス部
１４  投射光源部
１５  スピーカ部
２１  ファイル記録メディアスロット部
２２  内容識別部
２３  拡張子データベース
Ａ，Ｂ  プロジェクタ（映像再生装置）
【図１】
2011044985.tif 000003
【図２】
2011044985.tif 000004
【図３】
2011044985.tif 000005
【図４】
2011044985.tif 000006
【図５】
2011044985.tif 000007
【図６】
2011044985.tif 000008
【図７】
2011044985.tif 000009